(57)【要約】【課題】  メール通信に際して、利用者の利便性を向上する【解決手段】  携帯電話装置１０1がＳＶＧＭメールを送信先に向けて送信する。こうして携帯電話装置１０1から送信されたＳＶＧＭメールは、メールサーバ４０により受信される。ＳＶＧＭメールを受信したメールサーバ４０は、送信先の端末装置に対応して定まる送信先メッセージデータ形式がＳＶＧＭメッセージ形式であるか否かを判定する。この判定の結果が否定的であった場合には、メールサーバ４０は、ＳＶＧＭメッセージ中において送信先メッセージ形式と適合化可能な部分を、送信先メッセージデータ形式に変換する。そして、メールサーバ４０は、変換結果を含むメールを、送信先の端末装置へ向けて送信する。こうしてメールサーバ４０から送信されたメールが、送信先の端末装置に到達する。【選択図】  図１１
2007133833.tif 000002
【特許請求の範囲】
【請求項１】
メールサーバを介して行われる通信端末装置間におけるメール通信方法であって、
送信元の移動通信端末装置が、送信先の通信端末装置に表示させようとする画面構成要素のそれぞれを、コードデータで記述可能なグラフィックス記述言語を用いて記述したメッセージを作成するメッセージ作成工程と；
前記送信元の移動通信端末装置が、前記メッセージを含むメールを前記送信先の通信端末装置へ向けて送信する第１メール送信工程と；
前記メールサーバが、前記メールを受信する受信工程と；
前記メールサーバが、前記送信先の通信端末装置に対応して定まる送信先メッセージデータ形式と前記メッセージのデータ形式とが同一か否かを判定するデータ形式判定工程と；
前記データ形式判定工程における判定の結果が否定的であった場合に、前記メールサーバが、前記メッセージ中において前記送信先メッセージ形式に変換可能な部分を、前記送信先メッセージデータ形式に変換するデータ形式変換工程と；
前記メールサーバが、前記データ形式変換工程における変換結果を含むメールを、前記送信先の通信端末装置へ送信する第２メール送信工程と；を備えるメール通信方法。
【請求項２】
前記送信先の通信端末装置は移動通信端末装置であり、
前記送信先メッセージデータ形式は、前記送信先の移動通信端末装置の機種に対応して定まる、ことを特徴とする請求項１に記載のメール通信方法。
【請求項３】
前記送信先メッセージデータ形式は、前記送信先の通信端末装置による指定により定まる、ことを特徴とする請求項１に記載のメール通信方法。
【請求項４】
前記データ形式判定工程における判定の結果が肯定的であった場合に、前記メールサーバが、前記送信元の移動通信端末装置から送信されたメールをそのまま前記送信先の通信端末装置へ送信する第３メール送信工程を更に備える、ことを特徴とする請求項１〜３のいずれか一項に記載のメール通信方法。
【請求項５】
送信元の移動通信端末装置から送信先の通信端末装置へのメール送信の仲介を行うメールサーバであって、
前記送信先の通信端末装置に対応して定まる送信先メッセージデータ形式を記憶する記憶手段と；
前記送信元の移動通信端末装置から送信されたメールを受信するメール受信手段と；
前記メールに含まれるメッセージにおける画面構成要素のそれぞれが、コードデータで記述可能なグラフィックス記述言語を用いて記述されたデータ形式であった場合に、前記送信先の通信端末装置に対応して定まる送信先メッセージデータ形式と、前記メッセージのデータ形式とが同一か否か判定するデータ形式判定手段と；
前記データ形式判定手段による判定の結果が否定的であった場合に、前記メッセージ中において前記送信先メッセージ形式に変換可能な部分を、前記送信先メッセージデータ形式に変換するデータ形式変換手段と；
前記データ形式変換手段による変換結果を含むメールを、前記送信先の通信端末装置へ送信するメール送信手段と；を備えるメールサーバ。
【請求項６】
前記送信先の通信端末装置は移動通信端末装置であり、
前記送信先メッセージデータ形式は、前記送信先の移動通信端末装置の機種に対応して定まる、ことを特徴とする請求項５に記載のメールサーバ。
【請求項７】
前記送信先メッセージデータ形式は、前記送信先の通信端末装置による指定により定まる、ことを特徴とする請求項５に記載のメールサーバ。
【請求項８】
前記データ形式判定手段による判定の結果が肯定的であった場合には、前記メール送信手段は、前記送信元の移動通信端末装置から送信されたメールをそのまま前記送信先の通信端末装置へ送信する、ことを特徴とする請求項５〜７のいずれか一項に記載のメールサーバ。
【請求項９】
請求項５〜８のいずれか一項に記載のメールサーバと；
前記メールサーバを介して、メールの送受信を行う複数の移動通信端末装置と；を備え、
前記複数の移動通信端末装置の少なくとも１つが、
送信先の通信端末装置に表示させようとする画面構成要素のそれぞれをコードデータで記述可能なグラフィックス記述言語を用いて記述したメッセージを作成するメッセージ作成手段と；
前記メッセージ作成手段により作成された前記メッセージを含むメールを、送信先の通信端末装置へ向けて送信するメール送信手段と；備えるメール通信システム。
【発明の詳細な説明】
【技術分野】
【０００１】
本発明は、メール通信方法、メールサーバ及びメール通信システムに係り、より詳しくは、メールサーバを介して行われる通信端末装置間におけるメール通信方法、当該メール通信方法において採用可能なメールサーバ、及び、当該メールサーバを備えるメール通信システムに関する。
【背景技術】
【０００２】
従来から、携帯電話装置を代表とする移動通信端末装置が広く普及している。こうした移動通信端末装置に関する技術は目覚しく進歩している。例えば、電子メール機能を有する携帯電話装置等は、当初はテキスト情報の伝達のみが可能であったが、現在では、写真等の画像情報も伝達可能なマルチメディアメッセージングサービス（Multimedia Messaging Service：ＭＭＳ）も利用可能となっている。
【０００３】
かかるＭＭＳを利用してテキスト情報及び画像情報を送信する場合には、現状においては、送信元の携帯電話等が、テキスト情報を収納したテキストファイル及び画像情報を収納した画像ファイルを送信する方法が採用されている（特許文献１等参照；以下、「従来例」という）。このようにテキストファイルと画像ファイルとの２種類のファイルを送信するのは、テキスト形式では、画像情報を表現することができず、かつ、画像形式では、テキスト形式（コード）による簡易なテキスト文字表現の利点が失われてしまうためである。
【０００４】
【特許文献１】特開２００５−１８２３２４号公報
【発明の開示】
【発明が解決しようとする課題】
【０００５】
上述した従来例の技術は、ＭＭＳの利用を簡易に実現する観点からは優れたものである。しかしながら、従来例の技術では、伝達しようとするマルチメディアメッセージの表現態様には、限界がある。例えば、背景画像上にテキスト文字が重ねられたものの上に前景画像が更に重ねられたもの等も考えられるが、こうした画面表示を行うためには、単にテキストファイルと画像ファイルとの２つのファイルを用意するのみでは足りない。
【０００６】
また、上述したＭＭＳを利用して伝達されるメッセージは、複数のコンテンツを利用して作成された新たなコンテンツが１ファイルとされている場合がある。例えば、複数の画像を合成して作成された新たな画像が１ファイルとされる場合が、この場合に該当する。
【０００７】
こうした複数のコンテンツを利用して作成された新たなコンテンツが１ファイルとされているメッセージを受信した側としては、受信メッセージの作成に利用された複数のコンテンツの内に、再利用が制限されていないものがある場合には、自らが新たなメッセージを作成する際に利用できるようにすることが望ましい。しかしながら、例えば、複数の画像を合成して作成された新たな画像が１ファイルとされている場合には、再利用できるとすれば、当該新たな画像のみである。
【０００８】
以上のような背景から、新たなマルチメディアメッセージの作成方法が今後登場してくることが予想される。こうした新たなマルチメディアメッセージの作成方法としては、送信先の移動通信端末装置に表示させようとする画面構成要素のそれぞれをコードデータで記述可能なグラフィックス記述言語を用いて記述し、これらの画面構成要素を含む形式でマルチメディアメッセージを作成する方法が有望である。
【０００９】
ところで、上記のような新たなマルチメディアメッセージの作成機能、及び、当該マルチメディアメッセージの作成機能により作成されたマルチメディアメッセージの表示機能は、特定の新たな機種に実装されていくことになる。一方、こうした機能が実装されていない機種も同時に多く存在することになる。このため、当該機能を用いて作成されたマルチメディアメッセージを含むメールを、そのままで当該機能が実装されていない機種に送ったとしても、当該機能が実装されていない機種ではそのマルチメディアメッセージの表示等をすることができない。
【００１０】
この結果、新たなマルチメディアメッセージの作成機能を有する機種の利用者は、送信先の機種に合わせた形式のメッセージを作成することが必要となる。このことは、利用者にとっては非常に煩わしいことである。
【００１１】
本発明は、上記の事情を鑑みてなされたものであり、利用者の利便性を向上することができるメール通信方法及びメール通信システムを提供することを目的とする。
【課題を解決するための手段】
【００１２】
本発明は、第１の観点からすると、メールサーバを介して行われる通信端末装置間におけるメール通信方法であって、送信元の移動通信端末装置が、送信先の通信端末装置に表示させようとする画面構成要素のそれぞれを、コードデータで記述可能なグラフィックス記述言語を用いて記述したメッセージを作成するメッセージ作成工程と；前記送信元の移動通信端末装置が、前記メッセージを含むメールを前記送信先の通信端末装置へ向けて送信する第１メール送信工程と；前記メールサーバが、前記メールを受信する受信工程と；前記メールサーバが、前記送信先の通信端末装置に対応して定まる送信先メッセージデータ形式と前記メッセージのデータ形式とが同一か否かを判定するデータ形式判定工程と；前記データ形式判定工程における判定の結果が否定的であった場合に、前記メールサーバが、前記メッセージ中において前記送信先メッセージ形式に変換可能な部分を、前記送信先メッセージデータ形式に変換するデータ形式変換工程と；前記メールサーバが、前記データ形式変換工程における変換結果を含むメールを、前記送信先の通信端末装置へ送信する第２メール送信工程と；を備えるメール通信方法である。
【００１３】
このメール通信方法では、まず、メッセージ作成工程において、送信元の移動通信端末装置が、送信先の通信端末装置に表示させようとする画面構成要素のそれぞれを、コードデータで記述可能なグラフィックス記述言語を用いて記述したメッセージを作成する。ここで、「グラフィックス記述言語」とは、テキスト文字及び画像という画面構成要素のそれぞれをコードデータにより、所定のグラフィック形式で記述可能な言語であり、例えば、Ｗ３Ｃ（World Wide Web Consortium）により勧告されている２次元ベクタ画像記述言語であるＳＶＧ（Scalable Vector Graphics）等が該当する。このため、送信先の移動通信端末装置において作成されたメッセージにおいては、利用者（作成者）の趣味感に合わせて、背景画像、前景画像、テキスト文字等の画面構成要素の表示属性を、画面構成要素ごとに設定することができる。
【００１４】
次に、第１メール送信工程において、送信元の移動通信端末装置が、メッセージ作成工程において作成されたメッセージを含むメールを、ネットワークを介して、送信先の通信端末装置へ送信する。こうして送信元の移動通信端末装置から送信されたメールは、受信工程において、メールサーバにより受信される。
【００１５】
当該メールを受信したメールサーバは、データ形式判定工程において、送信先の通信端末装置に対応して定まる送信先メッセージデータ形式と、受信したメールのデータ形式とが同一か否かを判定する。この判定の結果が否定的であった場合には、データ形式変換工程において、メールサーバは、当該メッセージ中において送信先メッセージ形式に変換可能な部分を、送信先メッセージデータ形式に変換する。例えば、送信先の通信端末装置がテキスト形式のメッセージのみを受け付けるものであり、送信元の移動通信端末装置から送信されたメッセージにテキスト関連の画面構成要素が含まれている場合には、その画面構成要素内のテキスト情報をテキスト形式に変換する。
【００１６】
そして、第２メール送信工程において、メールサーバが、データ形式変換工程における変換結果を含むメールを、送信先の通信端末装置へ向けて送信する。こうして第２メール送信工程においてメールサーバから送信されたメールが、送信先の通信端末装置に到達する。
【００１７】
この結果、送信元の移動通信端末装置が、コードデータで記述可能なグラフィックス記述言語を用いて記述された画面構成要素を含むメッセージを作成してメールを送信しときには、送信先の通信端末装置において当該グラッフクス記述言語の解読処理が出来ない場合であっても、メールサーバにおいて送信先メッセージ形式に変換可能な部分については、送信先メッセージ形式で送信先の移動通信端末装置に到達する。したがって、本発明のメール通信方法によれば、メール通信に際して、利用者の利便性を向上させることができる。
【００１８】
本発明のメール通信方法では、前記送信先の通信端末装置が移動通信端末装置であり、前記送信先メッセージデータ形式が、前記送信先の移動通信端末装置の機種に対応して定まるようにすることができる。この場合には、送信元の移動通信端末装置から送信されたメールにおける送信先の移動通信端末装置の機種により処理可能な形式に変換可能な部分を、処理可能な形式で送信先の移動通信端末装置に到達させることができる。
【００１９】
また、本発明のメール通信方法では、前記送信先メッセージデータ形式が、前記送信先の通信端末装置による指定により定まるようにすることができる。この場合には、送信元の移動通信端末装置から送信されたメールにおける送信先の通信端末装置の利用者が希望する形式に変換可能な部分を、その形式で送信先の通信端末装置に到達させることができる。
【００２０】
また、本発明のメール通信方法では、前記データ形式判定工程における判定の結果が肯定的であった場合に、前記メールサーバが、前記送信元の移動通信端末装置から送信されたメールをそのまま前記送信先の通信端末装置へ送信する第３メール送信工程を更に備えるようにすることができる。この場合には、送信先メッセージデータ形式と送信元の移動通信端末装置で作成されたメッセージのデータ形式とが同一であるときに、送信元の利用者が意図した通りのメッセージが、送信先の移動通信端末装置に伝達される。
【００２１】
本発明は、第２の観点からすると、送信元の移動通信端末装置から送信先の通信端末装置へのメール送信の仲介を行うメールサーバであって、前記送信先の通信端末装置に対応して定まる送信先メッセージデータ形式を記憶する記憶手段と；前記送信元の移動通信端末装置から送信されたメールを受信するメール受信手段と；前記メールに含まれるメッセージにおける画面構成要素のそれぞれが、コードデータで記述可能なグラフィックス記述言語を用いて記述されたデータ形式であった場合に、前記送信先の通信端末装置に対応して定まる送信先メッセージデータ形式と、前記メッセージのデータ形式とが同一か否か判定するデータ形式判定手段と；前記データ形式判定手段による判定の結果が否定的であった場合に、前記メッセージ中において前記送信先メッセージ形式に変換可能な部分を、前記送信先メッセージデータ形式に変換するデータ形式変換手段と；前記データ形式変換手段による変換結果を含むメールを、前記送信先の通信端末装置へ送信するメール送信手段と；を備えるメールサーバである。
【００２２】
このメールサーバでは、メール受信手段により受信したメールに含まれるメッセージにおける画面構成要素のそれぞれが、コードデータで記述可能なグラフィックス記述言語を用いて記述されたデータ形式であった場合に、データ形式判定手段は、まず、記憶手段から、受信メールの送信先の移動通信端末装置に対応して定まる送信先メッセージデータ形式を記憶手段から読み出す。引き続き、データ形式判定手段は、読み出された送信先メッセージデータ形式と、受信メッセージのデータ形式が同一か否か判定する。
【００２３】
データ形式判定手段による判定の結果が否定的であった場合には、データ形式変換手段が、受信メッセージ中において送信先メッセージ形式に変換可能な部分を、送信先メッセージデータ形式に変換する。そして、メール送信手段が、データ形式変換手段による変換結果を含むメールを、送信先の通信端末装置へ送信する。
【００２４】
したがって、本発明のメールサーバは、上述した本発明のメール通信方法においてメールサーバとして行うべき動作を行うことができる。
【００２５】
本発明のメールサーバでは、前記送信先の通信端末装置は移動通信端末装置であり、前記送信先メッセージデータ形式を、前記送信先の移動通信端末装置の機種に対応して定まるようにすることができる。この場合には、送信元の移動通信端末装置から送信されたメールにおける送信先の移動通信端末装置の機種により処理可能な形式に変換可能な部分を、処理可能な形式で送信先の移動通信端末装置に到達させることができる。
【００２６】
また、本発明のメールサーバでは、前記送信先メッセージデータ形式を、前記送信先の通信端末装置による指定により定まるようにすることができる。この場合には、送信元の移動通信端末装置から送信されたメールにおける送信先の通信端末装置の利用者が希望する形式に変換可能な部分を、その形式で送信先の通信端末装置に到達させることができる。
【００２７】
また、本発明のメールサーバでは、前記データ形式判定手段による判定の結果が肯定的であった場合には、前記メール送信手段が、前記送信元の移動通信端末装置から送信されたメールをそのまま前記送信先の通信端末装置へ送信するようにすることができる。この場合には、送信先メッセージデータ形式と送信元の移動通信端末装置で作成されたメッセージのデータ形式とが同一であるときに、送信元の利用者が意図した通りのメッセージが、送信先の通信端末装置に伝達される。
【００２８】
本発明は、第３の観点からすると、本発明のメールサーバと；前記メールサーバを介して、メールの送受信を行う複数の移動通信端末装置と；を備え、前記複数の移動通信端末装置の少なくとも１つが、送信先の通信端末装置に表示させようとする画面構成要素のそれぞれをコードデータで記述可能なグラフィックス記述言語を用いて記述したメッセージを作成するメッセージ作成手段と；前記メッセージ作成手段により作成された前記メッセージを含むメールを、前記送信先の通信端末装置へ向けて送信するメール送信手段と；備えるメール通信システムである。
【００２９】
このメール通信システムでは、送信先の通信端末装置に表示させようとする画面構成要素のそれぞれをコードデータで記述可能なグラフィックス記述言語を用いて記述したメッセージを作成するメッセージ作成手段と、当該メッセージ作成手段により作成された前記メッセージを含むメールを、送信先の通信端末装置へ向けて送信するメール送信手段とを備える移動通信端末装置（以下、「特定移動通信端末装置」とも呼ぶ）がメール送信元となり得る。そして、特定移動通信端末装置が送信元の移動通信端末となった場合には、まず、メッセージ作成手段が、送信先の通信端末装置に表示させようとする画面構成要素のそれぞれをコードデータで記述可能なグラフィックス記述言語を用いて記述したメッセージを作成する。引き続き、特定移動通信端末装置のメール送信手段が、メッセージ作成手段により作成された前記メッセージを含むメールを、送信先の通信端末装置へ向けて送信する。
【００３０】
こうして送信元の移動通信端末装置から送信されたメールは、メールサーバにより受信される。当該メールを受信したサーバは、送信先の通信端末装置に対応して定まる送信先メッセージデータ形式と、受信したメールのデータ形式とが同一か否かを判定する。この判定の結果が否定的であった場合には、メールサーバは、当該メッセージ中において送信先メッセージ形式に変換可能な部分を、送信先メッセージデータ形式に変換する。そして、メールサーバは、変換結果を含むメールを、送信先の通信端末装置へ送信する。こうしてメールサーバから送信されたメールが、送信先の通信端末装置に到達する。
【００３１】
すなわち、本発明のメール通信システムでは、上述した本発明のメール通信方法を使用してメール通信を行うことができる。したがって、本発明のメール通信システムによれば、メール通信に際して、利用者の利便性を向上させることができる。
【発明の効果】
【００３２】
以上説明したように、本発明のメール通信方法及びメール通信システムによれば、メール通信に際して、利用者の利便性を向上させることができるという効果を奏する。
【００３３】
また、本発明のメールサーバは、本発明のメール通信システムにおけるメールサーバとして採用することができる。
【発明を実施するための最良の形態】
【００３４】
［構成］
以下、本発明の一実施形態を、図１〜図１２を参照しつつ説明する。なお、これらの図においては、同一又は同等の要素には同一の符号を付し、重複する説明を省略する。
【００３５】
図１は、本発明の一実施形態に係るメール通信システム１００の概略的な構成図である。図１に示されるように、この移動通信システム１００は、（ａ）電子メールの送受信機能を有する移動通信端末装置である携帯電話装置１０1，１０2，…と、（ｂ）携帯電話装置１０j（ｊ＝１，２，…）が無線通信を行う基地局５２1，５２2，…と、（ｃ）基地局５２1，５２2，…が接続されたネットワーク５０とを備えている。また、メール通信システム１００は、（ｄ）ネットワークに接続された画面構成要素サーバ３０と、（ｅ）携帯電話装置１０1，１０2，…相互間のメール通信を補助するメールサーバ４０とを備えている。なお、図１においては、携帯電話装置１０1と基地局５２1とが無線通信を行うとともに、携帯電話装置１０2と基地局５２2とが無線通信を行う場合の例が示されているが、携帯電話装置１０j（ｊ＝１，２，…）が無線通信を行う基地局は、基地局５２k（ｋ＝１，２，…）のいずれであってもよい。
【００３６】
次に、携帯電話装置１０1の構成を、図２（Ａ）、図２（Ｂ）及び図３を参照して説明する。ここで、図２（Ａ）は携帯電話装置１０1の外観の正面図であり、図２（Ｂ）は携帯電話装置１０1の外観の裏面図である。また、図３は、携帯電話装置１０1のハードウエア的な機能ブロック図である。
【００３７】
図２（Ａ）及び図２（Ｂ）により総合的に示されるように、携帯電話装置１０1は、（ａ）携帯電話装置本体１１と、（ｂ）電話番号，文字等を制御部２１へ入力するためのテンキー、及び、各種指令を制御部２１へ入力するためのファンクションキーを有する操作部１２と、（ｃ）制御部２１による指令に応じて操作案内、動作状況、受信メッセージ等を表示する表示部（ディスプレイ）１３とを備えている。また、携帯電話装置１０は、（ｄ）通話時に通信相手から送信された音声信号を再生する通話用スピーカ１４と、（ｅ）通話時に音声を入力するためのマイクロフォン１５と、（ｆ）制御部２１による指令に応じて着信音や案内音を発生するための案内用スピーカ１６とを備えている。
【００３８】
携帯電話装置本体１１は、図３に示されるように、（ｉ）携帯電話装置１０1の各部の動作を制御する制御部２１と、（ii）無線信号用のアンテナ１７を有し無線信号を送受信する送受信部２２と、（iii）各種データを記憶する記憶部２３とを備えている。
【００３９】
記憶部２３に記憶されるデータには、後述するＳＶＧＭ（Scalable Vector Graphics for Messaging）メッセージを作成する際に利用可能な複数の装飾された画面構成要素を含む画面構成要素セット２６が含まれている。こうした画面構成要素は、ＳＶＧにより記述されている。
【００４０】
画面構成要素セット２６に含まれる画面構成要素としては、例えば、絵文字、顔文字、アイコン、イラスト、記号、シンボルマーク、企業又は団体のロゴ、商標、商号等がある。また、画面構成要素に施される装飾としては、同一系統の色に塗られる、あるいは、水玉模様が付されるといった所望のデザイン上のテイストに基づいて定められる。また、画面構成要素として、静止したもののみならず、動く文字列、動く絵文字、左右に移動する背景画像、アニメーション画像等を採用することもできる。
【００４１】
画面構成要素セット２６に含まれる画面構成要素は、携帯電話装置１０1の工場出荷時に予め実装されることも可能であり、また、画面構成要素サーバ３０からのダウンロードにより入手することも可能である。さらに、利用者が表示部１３における表示を参照しつつ操作部１２を操作して、所望の画面構成要素を作成することもできる。
【００４２】
なお、画面構成要素セット２６の数は１つに限られるものではなく、複数であってもよい。例えば、絵文字、シンボルマーク等のジャンルごとに、あるいは、作成者又は提供者ごとに画面構成要素セットを用意することもできる。
【００４３】
制御部２１は、中央処理装置（Central Processing Unit：ＣＰＵ）、デジタル信号処理装置（Digital Signal Processor）等を備えて構成されている。この制御部２１において各種プログラムを実行することにより、上述した構成要素を制御して、携帯電話装置１０1としての機能が実現される。こうして制御部２１において実行されるブログラムの１つとして、ＳＶＧＭメッセージを含むＳＶＧＭメールに関連する処理を行うＳＶＧＭメール処理プログラム７０がある。
【００４４】
ここで、ＳＶＧＭメッセージ６０（図４参照）について説明する。図４に示されるように、ＳＶＧＭメッセージ６０は、ＳＶＧＭファイル６１と、制御ファイル６２とを含んでいる。
【００４５】
ＳＶＧＭファイル６１は、２次元ベクタ画像記述言語であるＳＶＧで記述された画面構成要素６５ａ，６５ｂ，６５ｃ，６５ｄ，…を含んでいる。画面構成要素６５ａ，６５ｂ，６５ｃ，６５ｄ，…としては、例えば、絵文字、インライン画像、前景画像、背景画像等が挙げられる。ここで、インライン画像とは、文字列の途中に挿入される画像である。
【００４６】
なお、ＳＶＧは、ＸＭＬ（eXtensible Markup Language）をベースとした言語であって、２次元画像をベクタ方式で記述するためのグラフィックス記述言語の１つである。ＳＶＧは、画像を点の集合体ではなく、線や面等の図形の集合体として表現できる。
【００４７】
制御ファイル６２には、テキスト文字や画像の種類、表示部１３における表示位置、表示タイミング、表示時間を制御するための情報が含まれている。この制御ファイル６２と、上述したＳＶＧＭファイル内の画面構成要素６５ａ，…とによって、作成者が意図したＳＶＧＭメッセージの内容が記述される。なお、制御ファイル６２の内容は、例えば、ＳＭＩＬ（Synchronized Multimedia Integration Language）によって記述される。このＳＭＩＬは、ＸＭＬベースの言語であって、テキスト文字，絵文字，画像，動画，音，音楽等について、表示や再生を制御するための情報を記述するための言語である。
【００４８】
以上のように構成されるＳＶＧＭメッセージ６０の例が、図５に示されている。なお、図５には、ＳＶＧＭメッセージ６０の例が表示部１３に表示された場合が示されている。この例においては、図５に示されるように、文字列６９ａ，６９ｂと、絵文字６９ｃと、インライン画像又は前景画像であるラスタ画像６９ｄと、背景画像であるラスタ画像６９ｅとが含まれている。ここで、文字列６９ａ，６９ｂは、テキストデータによって一文字づつ記述されたものである。
【００４９】
なお、以下の説明においては、送信すべきＳＶＧＭメッセージと受信したＳＶＧＭメッセージとを区別する必要がある場合には、送信すべきＳＶＧＭメッセージをＳＶＧＭメッセージ６０Ｏと記し、受信したＳＶＧＭメッセージをＳＶＧＭメッセージ６０Ｉと記すものとする。また、ＳＶＧＭメッセージ６０Ｏに含まれるＳＶＧＭファイル及び制御ファイルを、ＳＶＧＭファイル６１Ｏ及び制御ファイル６２Ｏと記すものとする。さらに、ＳＶＧＭメッセージ６０Ｉに含まれるＳＶＧＭファイル及び制御ファイルを、ＳＶＧＭファイル６１Ｉ及び制御ファイル６２Ｉと記すものとする。
【００５０】
ＳＶＧＭメール処理プログラム７０は、図３に示されるように、送信ＳＶＧＭメール処理部７１と、受信ＳＶＧＭメール処理部７２とを備えている。
【００５１】
送信ＳＶＧＭメール処理部７１は、利用者による操作部１２からの指令入力に従って、適宜記憶部２３内の画面構成要素セット２６を参照しつつ、ＳＶＧＭファイル６１Ｏ及び制御ファイル６２Ｏを作成することにより、ＳＶＧＭメッセージ６０Ｏを作成する。そして、送信ＳＶＧＭメール処理部７１は、利用者による操作部１２からの指令入力に従って、ＳＶＧＭメッセージ６０Ｏを含むＳＶＧＭメールを送信先の移動通信端末装置へ向けて送信する。
【００５２】
受信ＳＶＧＭメール処理部７２は、ＳＶＧＭメールを受信すると、記憶部２３内の所定の領域に格納する。そして、受信ＳＶＧＭメール処理部７２は、利用者による操作部１２からの指令入力に従って、受信したＳＶＧＭメールに含まれるＳＶＧＭメッセージ６０Ｉの内容を表示部１３へ表示する等する。
【００５３】
携帯電話装置１０2は、上述した携帯電話装置１０1と同様に構成されるが、図６に示されるように、メール処理プログラム７０に代えて、メール処理プログラム７６が制御部２１において実行される点のみが、携帯電話装置１０1と相違している。このメール処理プログラム７６は、メッセージがテキスト形式データのメッセージである場合に、メール処理が可能となっている。
【００５４】
携帯電話装置１０3は、上述した携帯電話装置１０1と同様に構成されるが、図７に示されるように、ＳＶＧＭメール処理プログラム７０に代えて、メール処理プログラム７７が制御部２１において実行される点のみが、携帯電話装置１０1と相違している。このメール処理プログラム７７は、メッセージが、テキストファイル及び画像ファイルから成るマルチメディアメッセージ、又は、テキストメッセージ若しくは画像メッセージである場合に、メール処理が可能となっている。
【００５５】
携帯電話装置１０4は、上述した携帯電話装置１０1と同様に構成されるが、図８に示されるように、ＳＶＧＭメール処理プログラム７０に代えて、メール処理プログラム７８が制御部２１において実行される点のみが、携帯電話装置１０1と相違している。このメール処理プログラム７７は、メッセージが、ＨＴＭＬ（Hyper Text Markup Language）形式である場合に、メール処理が可能となっている。
【００５６】
携帯電話装置１０5は、上述の携帯電話装置１０と同様に構成されている。
【００５７】
画面構成要素サーバ３０は、図９に示されるように、（ａ）画面構成要素サーバ３０の全体を制御する制御部３１と、（ｂ）制御部３１による制御のもとで、ネットワーク５０を介した通信を行うための送受信部３２と、（ｃ）様々なデータを記憶し、制御部２１がアクセス可能な固定ディスク装置等の記憶部３３とを備えている。ここで、記憶部３３には、多数の画面構成要素を含む画面構成要素セット３６が記憶されている。画面構成要素セット３６内の画面構成要素のそれぞれは、上述した画面構成要素６５ａ，…と同様に、その内容がＳＶＧにより記述されている。
【００５８】
制御部３１は、中央処理装置（ＣＰＵ）等を備えて構成されている。この制御部２１において各種プログラムを実行することにより、上述した構成要素を制御して、画面構成要素サーバ３０としての機能が実現される。こうした画面構成要素サーバ３０としての機能としては、携帯電話装置１０，２０からの要求に応答して、画面構成要素セット３６内の画面構成要素をダウンロードする機能等がある。
【００５９】
メールサーバ４０は、図１０に示されるように、（ａ）メールサーバ４０の全体を制御する制御部４１と、（ｂ）制御部４１による制御のもとで、ネットワーク５０を介した通信を行うための送受信部４２と、（ｃ）様々なデータを記憶し、制御部４１がアクセス可能な固定ディスク装置等の記憶部４３とを備えている。
【００６０】
記憶部４３には、加入者端末装置である携帯電話装置１０j（ｊ＝１，２，…）のそれぞれがメール送信先となった場合に、メールがＳＶＧＭメッセージを含んでいる場合に、メッセージデータ形式として受け付けるデータ形式が登録された送信先メッセージデータ形式テーブル４９が記憶されている。この送信先メッセージデータ形式テーブル４９は、端末識別子に対応して送信先メッセージデータ形式が登録されている。本実施形態では、送信先メッセージデータ形式が、加入者端末装置の機種によって定まるようになっている。
【００６１】
なお、以下の説明においては、加入者端末装置である携帯電話装置１０1〜１０5の送信先メッセージデータ形式が、次のように登録されているものとする。
（ｉ）携帯電話装置１０1，１０5については、送信先メッセージデータ形式がＳＶＧＭメッセージ形式であることが登録されている。
（ii）携帯電話装置１０2については、送信先メッセージデータ形式がテキスト形式であることが登録されている。
（iii）携帯電話装置１０3については、送信先メッセージデータ形式が（テキストファイル＋画像ファイル）形式であることが登録されている。
（iv）携帯電話装置１０4については、送信先メッセージデータ形式がＨＴＭＬ形式であることが登録されている。
【００６２】
制御部４１は、中央処理装置（ＣＰＵ）等を備えて構成されている。この制御部４１において各種プログラムを実行することにより、上述した構成要素を制御して、メールサーバ４０としての機能が実現される。こうした制御部４１により実行されるプログラムとしてメール処理プログラム４５がある。このメール処理プログラム４５は、メール送受信部４６と、データ形式変換部４７とを備えている。
【００６３】
制御部４１では、ＳＶＧＭメールを受信すると、メール送受信部４６が送信先メッセージデータ形式テーブル４９を参照して、送信先の端末装置の送信先メッセージデータ形式がＳＶＧＭメッセージ形式であるか否かを判定する。この判定結果が肯定的であった場合には、メール送受信部４６は、受信したＳＶＧＭメールを、送受信部４２及びネットワークを介して、送信先へ向けて送信する。
【００６４】
一方、送信先の端末装置の送信先メッセージデータ形式がＳＶＧＭメッセージ形式ではなかった場合には、メール送受信部４６は、当該送信先メッセージデータ形式及び受信したＳＶＧＭメール内のＳＶＧＭメッセージをデータ形式変換部４７へ送る。送信先メッセージデータ形式及びＳＶＧＭメッセージを受けたデータ形式変換部４７は、ＳＶＧＭメッセージにおける送信先メッセージデータ形式に変換可能な部分について、送信先メッセージデータ形式へ変換する。そして、データ形式変換部４７は、変換結果をメール送受信部４６へ送る。こうしてデータ形式変換部４７から変換結果を受けたメール送受信部４６は、当該変換結果をメッセージとして含むメールを、送受信部４２及びネットワークを介して、送信先へ向けて送信する。
【００６５】
［動作］
次に、上記のようにして構成された移動通信システム１００におけるメールの送受信処理について、説明する。なお、携帯電話装置１０1で作成されたＳＶＧＭメールが、携帯電話装置１０2，１０3，１０4，１０5へ向けて送信される場合を例にとって、以下の説明を行う。
【００６６】
＜携帯電話装置１０2へのメール送信＞
携帯電話装置１０1の利用者が携帯電話装置１０2へ向けてＳＶＧＭメールを送信する場合には、図１１に示されるように、まず、ステップＳ１１において、携帯電話装置１０の送信ＳＶＧＭメール処理部７１が、ＳＶＧＭメッセージを作成する。このステップＳ１１においては、送信ＳＶＧＭメール処理部７１が、適宜記憶部２３内の画面構成要素セット２６を参照しつつ、ＳＶＧＭファイル６１及び制御ファイル６２を作成することにより、ＳＶＧＭメッセージ６０を作成する。
【００６７】
ＳＶＧＭファイル６１の作成に際して、送信ＳＶＧＭメール処理部７１は、まず、携帯電話装置１０1の利用者（作成者）が携帯電話装置１０2へ向けて伝達しようとするＳＶＧＭメッセージ６０に含めることを指定した画面構成要素の種類を判別する。この判別の結果、利用者により指定された画面構成要素がテキスト文字であった場合には、送信ＳＶＧＭメール処理部７１は、適宜改行の挿入処理を行いつつ、利用者から指定された単位ごとに利用者の趣味感に基づいて指定された書体、表示色等の装飾を施すことにより、テキスト文字の画面構成要素を作成する。そして、送信ＳＶＧＭメール処理部７１は、作成された画面構成要素をＳＶＧＭファイル６１内に格納する。また、利用者により指定された画面構成要素が画面構成要素セット２６内のものであった場合には、送信ＳＶＧＭメール処理部７１は、その画面構成要素をＳＶＧＭファイル６１内に格納する。なお、画面構成要素の作成に際しては、背景色の指定等もなされる。
【００６８】
こうした画面構成要素の作成及びＳＶＧＭファイル６１内への格納により、伝達しようとするＳＶＧＭメッセージ６０に対応するＳＶＧＭファイル６１が作成される。
【００６９】
また、送信ＳＶＧＭメール処理部７１は、利用者による操作部１２からの指令入力に従って、制御ファイル６２を作成する。制御ファイル６２の作成に際して、送信ＳＶＧＭメール処理部７１は、作成されたＳＶＧＭファイル６１内の画面構成要素が適切に画面表示されるように制御ファイル６２を作成する。
【００７０】
以上のようにしてＳＶＧＭメッセージ６０が作成されると、ステップＳ１２において、携帯電話装置１０1の送信ＳＶＧＭメール処理部７１が、ＳＶＧＭメッセージ６０を含むＳＶＧＭメールを送信する。このＳＶＧＭメールの送信に際しては、送信ＳＶＧＭメール処理部７１が、利用者から指定された送信先（携帯電話装置２０）や標題等をＳＶＧＭメッセージ６０に付加したＳＶＧＭメールを作成する。そして、利用者から送信指令がなされると、送信ＳＶＧＭメール処理部７１が、携帯電話装置１０2へ向けて、ＳＶＧＭメールを送信する。
【００７１】
こうして携帯電話装置１０1から送信されたＳＶＧＭメールは、メールサーバ４０によって受信される。ＳＶＧＭメールを受信したメールサーバ４０では、メール送受信部４６が、送信先メッセージデータ形式テーブル４９を参照して、携帯電話装置１０2に関する送信先メッセージデータ形式がＳＶＧＭメッセージ形式であるか否かを判定する。ここで、携帯電話装置１０2に関する送信先メッセージデータ形式はテキスト形式であるので、メール送受信部４６は、携帯電話装置１０2に関する送信先メッセージデータ形式がＳＶＧＭメッセージ形式ではないと判定する。
【００７２】
こうして否定的な判定がなされると、メール送受信部４６は、送信先に関する送信先メッセージデータ形式がテキスト形式である旨、及び、受信したＳＶＧＭメール内のＳＶＧＭメッセージ６０をデータ形式変換部４７へ送る。送信先メッセージデータ形式がテキスト形式である旨、及び、ＳＶＧＭメッセージを受けたデータ形式変換部４７は、ステップＳ１３において、ＳＶＧＭメッセージにおけるテキスト文字の画面構成要素を、テキスト形式に変換する。そして、データ形式変換部４７は、変換結果をメール送受信部４６へ送る。こうしてデータ形式変換部４７から変換結果を受けたメール送受信部４６は、当該変換結果をメッセージとして含むメールを、送受信部４２及びネットワークを介して、携帯電話装置１０2へ向けて送信する。
【００７３】
メールサーバ４０から送信されたメールは、ステップＳ１４において、携帯電話装置１０2により受信される。こうして、メールが受信されると、携帯電話装置１０2では、メールを受信した旨が、携帯電話装置１０2の利用者へ通知される。この通知を受けた利用者による受信メッセージ表示指令を受けて、ステップＳ１４のメッセージ表示処理が行われる。このステップＳ１４のメッセージ表示処理においては、受信したテキストメッセージが表示される。
【００７４】
＜携帯電話装置１０3へのメール送信＞
携帯電話装置１０1の利用者が携帯電話装置１０3へ向けてＳＶＧＭメールを送信する場合には、上述した携帯電話装置１０2へ向けたＳＶＧＭメールの送信の場合と同様に、ステップＳ１１において、ＳＶＧＭメッセージ６０が作成される。そして、ステップＳ１２において、ＳＶＧＭメッセージ６０を含むＳＶＧＭメールが、携帯電話装置１０1から携帯電話装置１０2へ向けて送信される。
【００７５】
こうして携帯電話装置１０1から送信されたＳＶＧＭメールは、メールサーバ４０によって受信される。ＳＶＧＭメールを受信したメールサーバ４０では、メール送受信部４６が、送信先メッセージデータ形式テーブル４９を参照して、携帯電話装置１０3に関する送信先メッセージデータ形式がＳＶＧＭメッセージ形式であるか否かを判定する。ここで、携帯電話装置１０2に関する送信先メッセージデータ形式は（テキストファイル＋画像ファイル）形式であるので、メール送受信部４６は、携帯電話装置１０3に関する送信先メッセージデータ形式がＳＶＧＭメッセージ形式ではないと判定する。
【００７６】
こうして否定的な判定がなされると、メール送受信部４６は、送信先に関する送信先メッセージデータ形式が（テキストファイル＋画像ファイル）形式である旨、及び、受信したＳＶＧＭメール内のＳＶＧＭメッセージ６０をデータ形式変換部４７へ送る。送信先メッセージデータ形式、及び、ＳＶＧＭメッセージ６０を受けたデータ形式変換部４７は、ステップＳ１３において、ＳＶＧＭメッセージ６０におけるテキスト文字の画面構成要素を、テキスト形式に変換する。また、データ形式変換部４７は、ＳＶＧＭメッセージ６０における画像の画面構成要素を、画像ファイル形式に変換する。そして、データ形式変換部４７は、変換結果をメール送受信部４６へ送る。こうしてデータ形式変換部４７から変換結果を受けたメール送受信部４６は、当該変換結果をメッセージとして含むメールを、送受信部４２及びネットワークを介して、携帯電話装置１０3へ向けて送信する。
【００７７】
メールサーバ４０から送信されたメールは、ステップＳ１４において、携帯電話装置１０3により受信される。こうして、メールが受信されると、携帯電話装置１０3では、メールを受信した旨が、携帯電話装置１０3の利用者へ通知される。この通知を受けた利用者による受信メッセージ表示指令を受けて、ステップＳ１４のメッセージ表示処理が行われる。このステップＳ１４のメッセージ表示処理においては、テキスト文字及び画像のメッセージが表示される。
【００７８】
＜携帯電話装置１０4へのメール送信＞
携帯電話装置１０1の利用者が携帯電話装置１０4へ向けてＳＶＧＭメールを送信する場合には、上述した携帯電話装置１０2へ向けたＳＶＧＭメールの送信の場合と同様に、ステップＳ１１において、ＳＶＧＭメッセージ６０が作成される。そして、ステップＳ１２において、ＳＶＧＭメッセージ６０を含むＳＶＧＭメールが、携帯電話装置１０1から携帯電話装置１０2へ向けて送信される。
【００７９】
こうして携帯電話装置１０1から送信されたＳＶＧＭメールは、メールサーバ４０によって受信される。ＳＶＧＭメールを受信したメールサーバ４０では、メール送受信部４６が、送信先メッセージデータ形式テーブル４９を参照して、携帯電話装置１０4に関する送信先メッセージデータ形式がＳＶＧＭメッセージ形式であるか否かを判定する。ここで、携帯電話装置１０4に関する送信先メッセージデータ形式はＨＴＭＬ形式であるので、メール送受信部４６は、携帯電話装置１０4に関する送信先メッセージデータ形式がＳＶＧＭメッセージ形式ではないと判定する。
【００８０】
こうして否定的な判定がなされると、メール送受信部４６は、送信先に関する送信先メッセージデータ形式がＨＴＭＬ形式である旨、及び、受信したＳＶＧＭメール内のＳＶＧＭメッセージ６０をデータ形式変換部４７へ送る。送信先メッセージデータ形式、及び、ＳＶＧＭメッセージ６０を受けたデータ形式変換部４７は、ステップＳ１３において、ＳＶＧＭメッセージ６０をＨＴＭＬ形式に変換する。そして、データ形式変換部４７は、変換結果をメール送受信部４６へ送る。こうしてデータ形式変換部４７から変換結果を受けたメール送受信部４６は、当該変換結果をメッセージとして含むメールを、送受信部４２及びネットワークを介して、携帯電話装置１０4へ向けて送信する。
【００８１】
メールサーバ４０から送信されたメールは、ステップＳ１４において、携帯電話装置１０3により受信される。こうして、メールが受信されると、携帯電話装置１０4では、メールを受信した旨が、携帯電話装置１０4の利用者へ通知される。この通知を受けた利用者による受信メッセージ表示指令を受けて、ステップＳ１４のメッセージ表示処理が行われる。このステップＳ１４のメッセージ表示処理においては、テキスト文字及び画像のメッセージが表示される。
【００８２】
＜携帯電話装置１０5へのメール送信＞
携帯電話装置１０1の利用者が携帯電話装置１０5へ向けてＳＶＧＭメールを送信する場合には、図１２に示されるように、上述した携帯電話装置１０2へ向けたＳＶＧＭメールの送信の場合と同様に、ステップＳ１１において、ＳＶＧＭメッセージ６０が作成される。そして、ステップＳ１２において、ＳＶＧＭメッセージ６０を含むＳＶＧＭメールが、携帯電話装置１０1から携帯電話装置１０5へ向けて送信される。
【００８３】
こうして携帯電話装置１０1から送信されたＳＶＧＭメールは、メールサーバ４０によって受信される。ＳＶＧＭメールを受信したメールサーバ４０では、メール送受信部４６が、送信先メッセージデータ形式テーブル４９を参照して、携帯電話装置１０5に関する送信先メッセージデータ形式がＳＶＧＭメッセージ形式であるか否かを判定する。ここで、携帯電話装置１０5に関する送信先メッセージデータ形式はＳＶＧＭ形式であるので、メール送受信部４６は、携帯電話装置１０5に関する送信先メッセージデータ形式がＳＶＧＭメッセージ形式であると判定する。こうして肯定的な判定がなされると、メール送受信部４６は、ＳＶＧＭメッセージ６０を含むＳＶＧＭメールを、送受信部４２及びネットワーク５０を介して、携帯電話装置１０5へ向けて送信する。
【００８４】
こうして携帯電話装置１０1から送信されたＳＶＧＭメールは、ステップＳ１６において、携帯電話装置１０5により受信される。こうして、ＳＶＧＭメールが受信されると、携帯電話装置１０5では、メールを受信した旨が、携帯電話装置１０5の利用者へ通知される。この通知を受けた利用者による受信メッセージ表示指令を受けて、ステップＳ１７のメッセージ表示処理が行われる。
【００８５】
ステップＳ１７のメッセージ表示処理においては、受信ＳＶＧＭメール処理部７２が、制御ファイル６２の内容を解読し、制御ファイル６２により指定された表示態様で、ＳＶＧＭファイル６１に含まれる画面構成要素の表示を行う。具体的には、受信ＳＶＧＭメール処理部７２は、（ｉ）インライン画像の画面構成要素を、文字列中の指定位置に挿入する、（ii）表示倍率を調整して各画面構成要素を拡大又は縮小する等を行う等して、ＳＶＧＭファイル６１に含まれる画面構成要素の表示を行う。
【００８６】
ここで、受信ＳＶＧＭメール処理部７２は、ＳＶＧＭメッセージ６０内の画面構成要素が利用可能である場合には、携帯電話装置２０の利用者の指令に応じて又は自動的に受信したＳＶＧＭメッセージ６０内の画面構成要素を、テンプレートとして保存する処理を行うようにすることもできる。
【００８７】
以上説明したように、本実施形態では、携帯電話装置１０1がＳＶＧＭメールを送信先に向けて送信する。こうして携帯電話装置１０1から送信されたＳＶＧＭメールは、メールサーバ４０により受信される。ＳＶＧＭメールを受信したメールサーバ４０は、送信先の端末装置に対応して定まる送信先メッセージデータ形式がＳＶＧＭメッセージ形式であるか否かを判定する。この判定の結果が否定的であった場合には、メールサーバ４０は、ＳＶＧＭメッセージ６０中において送信先メッセージ形式に変換可能な部分を、送信先メッセージデータ形式に変換する。そして、メールサーバ４０は、変換結果を含むメールを、送信先の通信端末装置へ向けて送信する。こうしてメールサーバ４０から送信されたメールが、送信先の通信端末装置に到達する。したがって、メール通信に際して、利用者の利便性を向上させることができる。
【００８８】
なお、上記の実施形態では、送信先メッセージデータ形式が、送信先の通信端末装置の機種に応じて定まるようにした。これに対して、送信先メッセージデータ形式が、原則として、送信先の通信端末装置の機種に応じて定まるが、当該送信先の通信端末装置から送信先メッセージデータ形式の指定ができるようにすることもできる。
【００８９】
また、上記の実施形態では、画面構成要素を記述するグラフィックス記述言語にＳＶＧを採用したが、ＰｏｓｔＳｃｒｉｐｔ、ＶＲＭＬ（Virtual Reality Modeling Language）、Ｘ３Ｄ（eXtensible 3D）等のグラフィックス記述言語を、ＳＶＧに代えて用いることもできる。
【００９０】
また、上記の実施形態では、本発明を携帯電話装置におけるメール処理に適用したが、電子メール授受機能を有するたの移動通信端末装置にも本発明を適用できることは、勿論である。
【００９１】
また、上記の実施形態では、携帯電話装置間におけるＳＶＧＭメールの授受について説明したが、送信側又は受信側の一方を他の種類の移動通信端末装置又はパーソナルコンピュータ等の通信端末装置とすることもできる。
【産業上の利用可能性】
【００９２】
以上説明したように、本発明のメール通信方法及びメール通信システムは、メール通信に適用することができる。また、本発明のメールサーバは、メール通信システムにおけるメールサーバに適用することができる。
【図面の簡単な説明】
【００９３】
【図１】本発明の一実施形態に係るメール通信システムの概略的な構成図である。
【図２】図１のＳＶＧＭメッセージを作成可能な携帯電話装置の外観を概略的に示す図である。
【図３】図２の携帯電話装置の機能ブロック図である。
【図４】ＳＶＧＭメッセージの構成を説明するための図である。
【図５】ＳＶＧＭメッセージの表示例を説明するための図である。
【図６】テキスト形式のメッセージを含むメールを処理可能な携帯電話装置の機能ブロック図である。
【図７】（テキストファイル＋画像ファイル形式）のメッセージを含むメールを処理可能な携帯電話装置の機能ブロック図である。
【図８】ＨＴＭＬ形式メッセージを含むメールを処理可能な携帯電話装置の機能ブロック図である。
【図９】画面構成要素サーバの構成を説明するためのブロック図である。
【図１０】メールサーバの構成を説明するためのブロック図である。
【図１１】図１のメール通信システムにおけるメッセージデータ形式変換を伴うメール通信処理を説明するためのシーケンス図である。
【図１２】図１のメール通信システムにおけるＳＶＧＭメールに関するメール通信処理を説明するためのシーケンス図である。
【符号の説明】
【００９４】
１０，２０…携帯電話装置（移動通信端末装置）、１１…携帯電話装置本体、１２…操作部、１３…表示部、１４…通話用スピーカ、１５…マイクロフォン、１６…案内用スピーカ、１７…アンテナ、２１…制御部、２２…送受信部、２３…記憶部、２６…画面構成要素セット、３０…画面構成要素サーバ、３１…制御部、３２…送受信部、３３…記憶部、３６…画面構成要素セット、４０…メールサーバ、４１…制御部、４２…送受信部、４３…記憶部、４５…メール処理プログラム、４６…メール送受信部（メール受信手段、メール送信手段、データ形式判定手段）、４７…データ形式変換部（データ形式変換手段）、４９…送信先メッセージデータ形式テーブル、６０…ＳＶＧＭメッセージ、６１…ＳＶＧファイル、６２…制御ファイル、６５ａ，６５ｂ，６５ｃ，６５ｄ…画面構成要素、７０…ＳＶＧＭメール処理プログラム、７１…送信ＳＶＧＭメール処理部（メッセージ作成手段、メール送信手段）、７２…受信ＳＶＧＭメール処理部、１００…メール通信システム。
【図１】
2007133833.tif 000003
【図２】
2007133833.tif 000004
【図３】
2007133833.tif 000005
【図４】
2007133833.tif 000006
【図５】
2007133833.tif 000007
【図６】
2007133833.tif 000008
【図７】
2007133833.tif 000009
【図８】
2007133833.tif 000010
【図９】
2007133833.tif 000011
【図１０】
2007133833.tif 000012
【図１１】
2007133833.tif 000013
【図１２】
2007133833.tif 000014